(57)【要約】【課題】構造が単純で低コストで製造できるとともに、指が不自由な人であってもなくても、帯状体をぐるっと回すだけで簡単かつ容易に脱着可能にする。【解決手段】手の周囲を略１周半程度廻る長さで手の甲および掌を覆う幅を有する帯状体２と、該帯状体の一方の端部に形成され、装着する側の手の親指を引っ掛けるための親指引っ掛け部４と、帯状体の他方の端部に形成され、装着する側の手と反対側の手の指を引っ掛けるための指引っ掛け部５と、帯状体の表面側に前記親指引っ掛け部に近接して固着された第１の面ファスナー６と、帯状体の裏面側に前記指引っ掛け部の周囲に設けられた第２の面ファスナー７と、帯状体の表面側に前記第２の面ファスナーに隣接して設けられた親指差し込み部９とを備えた構成。【選択図】図１
2005220507.tif 000002
【特許請求の範囲】
【請求項１】
手の周囲を略１周半程度廻る長さで手の甲および掌を覆う幅を有する帯状体と、該帯状体の一方の端部に形成され、装着する側の手の親指を引っ掛けるための親指引っ掛け部と、帯状体の他方の端部に形成され、装着する側の手と反対側の手の指を引っ掛けるための指引っ掛け部と、帯状体の表面側に前記親指引っ掛け部に近接して固着された第１の面ファスナーと、帯状体の裏面側に前記指引っ掛け部の周囲に設けられた第２の面ファスナーと、帯状体の表面側に前記第２の面ファスナーに隣接して設けられた親指差し込み部とを備えたことを特徴とする手を保護するための帯状保護具。
【請求項２】
前記帯状体の上辺に親指以外の指を挿入するための袋体を設けたことを特徴とする請求項１記載の手を保護するための帯状保護具。
【発明の詳細な説明】
【技術分野】
【０００１】
本発明は、車椅子用、自転車、釣り、ゴルフ等のスポーツ用、或いは作業用等に好適に使用され、簡単に脱着することができる手を保護するための帯状保護具に関する。
【背景技術】
【０００２】
例えば、不幸にして身体に障害を受け車椅子の生活を強いられた人達が、全ての生活に利用する車椅子を操作するときに車輪のリムを回すために手袋が必要であるが、市販されている手袋は高価であったり、装着が困難であったりして手袋が使用されているケースが少ない。このため、手荒れが酷くなったりして非常に不便を感じていた。
【０００３】
この問題を解決するための車椅子用手袋として、従来、特許文献１に示すように、手平面被覆部と手甲面被覆部とを有し、一方の側面部に親指差し込み部を設けた車椅子用手袋において、手甲面被覆部は、幅方向中間で左右の各甲面部に分離して該各甲面部が左右に開閉できるようにし、一方の甲面部に長さ調節可能な締付バンドを介して他方の甲面部に重合し得る重合片を連結し、前記他方の甲面部と前記重合片とを面ファスナーで接着させ得るようにしたものが提案されている。
【特許文献１】特開２００３−８２５１０
【発明の開示】
【発明が解決しようとする課題】
【０００４】
しかしながら、上記特許文献１の車椅子用手袋においては、指が普通に使える人には比較的容易に装着できるが、障害で指が不自由な人は、手袋の端を歯でくわえて装着しなければならないという問題を有している。また、一方の甲面部に長さ調節可能な締付バンドを介して他方の甲面部に重合し得る重合片を連結しているために構造が複雑でコスト高になるとともに、締付バンドの操作も歯をくわえて引っ張らねばならず、手袋を締め付けることが簡単にできないという問題を有している。
【０００５】
本発明は、上記従来の問題を解決するものであって、構造が単純で低コストで製造できるとともに、指が不自由な人であってもなくても、帯状体を親指に引っ掛けてぐるっと回すだけで簡単かつ容易に脱着することができる手を保護するための帯状保護具を提供することを目的とする。
【課題を解決するための手段】
【０００６】
そのために、本発明の手を保護するための帯状保護具は、手の周囲を略１周半程度廻る長さで手の甲および掌を覆う幅を有する帯状体と、該帯状体の一方の端部に形成され、装着する側の手の親指を引っ掛けるための親指引っ掛け部と、帯状体の他方の端部に形成され、装着する側の手と反対側の手の指を引っ掛けるための指引っ掛け部と、帯状体の表面側に前記親指引っ掛け部に近接して固着された第１の面ファスナーと、帯状体の裏面側に前記指引っ掛け部の周囲に設けられた第２の面ファスナーと、帯状体の表面側に前記第２の面ファスナーに隣接して設けられた親指差し込み部とを備えたことを特徴とする。
また、前記帯状体の上辺に親指以外の指を挿入するための袋体を設けたことを特徴とする。
【発明の効果】
【０００７】
本発明によれば、構造が単純で低コストで製造できるとともに、指が不自由な人であってもなくても、帯状体を親指に引っ掛けてぐるっと回すだけで簡単かつ容易に脱着することができる。
【発明を実施するための最良の形態】
【０００８】
以下、本発明の実施の形態を図面に基づいて説明する。図１および図２は、本発明の手を保護するための帯状保護具の１実施形態を示し、図１（Ａ）は帯状保護具の表面（おもて面）図、図１（Ｂ）は裏面図、図２は帯状保護具の装着方法を説明するための図である。
【０００９】
図１は、右手用の帯状保護具１を示し、点線は縫い込みを示している。なお、左手用は図２の（３）に示すように、親指差し込み部の方向が斜め下方になる。帯状保護具１は、手の周囲を略１周半程度廻る長さで、手の甲および掌を覆う幅を有する帯状体２からなり、帯状体２は、伸縮性の、布地、本皮または合成皮革製の材料からなり、帯状体２の周囲には縁取り材３が縫製されている。
【００１０】
なお、帯状体２の幅を手首部をも覆う幅にしてもよい。車椅子用の場合には、掌中央部、手首部で操作するため、これらの部位に当てを付けて二重構造とし、耐久性を上げるようにしてもよい。また、帯状体２の裏面に保湿性、手荒れ防止機能を有する繊維を裏打ちするようにしてもよい。また、フィット感を向上させるために、帯状体２の裏面に平織りのゴム紐を縫いつけたステッチを設けてもよい。
【００１１】
帯状体２の一方の端部には、装着する側の手の親指を引っ掛けるための親指引っ掛け部４が形成され、帯状体２の他方の端部には、装着する側の手と反対側の手の指を引っ掛けるための指引っ掛け部５が形成されている。親指引っ掛け部４は穴で形成され、指引っ掛け部５はスリットで形成されている。このように、穴とスリットにより区別させることにより、帯状体２の装着方法を容易にユーザに教えることができる。なお、親指引っ掛け部４および指引っ掛け部５の両方を、穴またはスリットにしてもよい。その場合には、親指引っ掛け部４および指引っ掛け部５の近傍にその名称を表示すればよい。
【００１２】
また、帯状体２の表面側には、親指引っ掛け部４に近接して一対の第１の面ファスナー６が固着されるとともに、帯状体２の裏面側には、指引っ掛け部５の周囲に跨るように（図のハッチング部）第２の面ファスナー７が固着されている。
【００１３】
帯状体２の表面側には、第２の面ファスナー７に隣接して親指差し込み部９が縫製されている。この親指差し込み部９は、その根本開口９ａが帯状体２の裏面に開口され、親指差し込み部９の先端には、先端開口９ｂが形成されている。親指差し込み部９の長さは、親指を差し込んだ時、その第１関節が露出する程度の長さとし、脱着を容易にしている。なお、親指差し込み部９に加えて人差し指差し込み部、その他の各指の差し込み部を加えてもよい。また、この指差し込み部は指全体を包むように形成してもよい。また、図中、１０は親指差し込み部９周辺を補強するための補強部材である。
【００１４】
次に、図２により本発明の帯状保護具の装着方法について説明する。図２は左手用の帯状保護具を装着する場合を示しているが、右手に装着する場合は、以下の説明で左手を右手に、右手を左手に置き換えて装着する。
【００１５】
先ず、ステップ（１）に示すように、左手の親指を帯状体２の裏面から親指引っ掛け部４に挿入し帯状体２を吊り下げ、次にステップ（２）に示すように、指引っ掛け部５に右手の親指等を挿入し、ステップ（３）、（４）に示すように、帯状体２を左手の甲から掌の周囲に沿って巻き、その途中で左手の親指を親指差し込み部９に挿入した後、ステップ（４）、（５）に示すように、第１の面ファスナー６に第２の面ファスナー７を押圧し、ステップ（６）、（７）に示すように、簡単容易に装着完了となる。これにより、左手の親指の先端部とその他の各指は露出状態となる。帯状体２を取り外す場合には、上記操作を逆の順序で行うことにより簡単容易に取り外すことができる。
【００１６】
図３は、本発明の手を保護するための帯状保護具の他の実施形態を示し、図３（Ａ）は帯状保護具の表面（おもて面）図、図３（Ｂ）は裏面図である。なお、前記実施形態と同一の構成については同一番号を付けて説明を省略する。
【００１７】
本実施形態においては、帯状体２の上辺に親指以外の指を挿入するための袋体１１を縫製し、親指以外の指を帯状体２の裏面に形成した開口１１ａから挿入可能にしている。これにより、指の防寒機能を果たすようにしている。また、袋体１１の表側には面ファスナー１２が設けられるとともに、帯状体２の表側で指引っ掛け部５の近傍にも面ファスナー１３が設けられ、袋体１１を使用しない場合に、袋体１１を内側に折り畳んで面ファスナー１２、１３により固定するようにしている。なお、袋体１１を面ファスナーやチャック等により着脱自在に構成してもよい。
【図面の簡単な説明】
【００１８】
【図１】本発明の手を保護するための帯状保護具の１実施形態を示し、図１（Ａ）は帯状保護具の表面図、図１（Ｂ）は裏面図である。
【図２】本発明の帯状保護具の装着方法を説明するための図である。
【図３】本発明の手を保護するための帯状保護具の他の実施形態を示し、図３（Ａ）は帯状保護具の表面（おもて面）図、図３（Ｂ）は裏面図である。
【符号の説明】
【００１９】
２…帯状体、４…親指引っ掛け部、５…指引っ掛け部
６…第１の面ファスナー、７…第２の面ファスナー、９…親指差し込み部
１１…袋体
【図１】
2005220507.tif 000003
【図２】
2005220507.tif 000004
【図３】
2005220507.tif 000005